(57)【要約】【課題】  カラーフィルタを備えた表示装置において、白バランスで個々の色の最大発光輝度が制限されていても、ホワイトバランス調整輝度より大きい発光輝度で表示を行うことができるとともに、画像の表示態様を増やし表示装置の用途を広げることができる表示装置の表示方法、表示装置及び電子機器を提供する。【解決手段】  表示パネルに、各発光素子からの単色光を色変換してスピードメータ画面を表示するための第１の色変換層と、各発光素子からの白色の単色光を緑色に変換することで特殊マーク表示を表示するための緑色変換層とを有したカラーフィルタを配置した。そして、表示エリアに同色の光を発光する各発光素子の発光輝度を決定する輝度データに輝度モードデータを付加したビデオデータＤを供給するようにした。その輝度モードデータに基づいて、各発光素子９Ｒ，９Ｇ，９Ｂを発光制御するようにした。【選択図】      図７
2007094330.tif 000002
【特許請求の範囲】
【請求項１】
複数の走査線と複数のデータ線との交差部に対応した各位置に、単色光を出射する発光素子を有する画素が形成された表示パネルと、
前記表示パネルに対向して配置され、前記表示パネルの複数の画素の発光素子から出射された単色光でカラー画像を表示させるための赤、緑、及び青色の光に変換する赤用、緑用、青用の各色変換層を備えた第１領域と、前記表示パネルの複数の画素の発光素子から出射される単色光を単色画像で表示させるための単色の光に変換する変換層を備えた第２領域とを有するカラーフィルタと
を備え、
外部装置から前記画素に対する輝度データに基づいて前記データ線を介して前記画素に供給するデータ信号を生成し、前記画素の発光素子を、前記画素毎に生成したデータ信号に基づいて、発光させて前記カラーフィルタを介して画像を表示する表示装置の表示方法において、
前記表示パネル中に、同一の前記輝度データに対して前記カラーフィルタの前記第１領域から出射する光のホワイトバランス調整輝度より前記第２領域から出射する光の調整輝度が大きくなるように、前記第２領域の画素の発光素子を発光させるようにしたことを特徴とする表示装置の表示方法。
【請求項２】
請求項１に記載の表示装置の表示方法において、
前記外部装置からの輝度データに変換データを付加し、前記付加した変換データに基づいて前記輝度データを前記新たな輝度データに変換し、前記新たな輝度データに基づいて前記第２領域の各画素の発光素子を前記輝度データに対する発光輝度より大きい輝度で発光させるようにしたことを特徴とする表示装置の表示方法。
【請求項３】
請求項１に記載の表示装置の表示方法において、
前記外部装置から出力される輝度データが、前記第２領域の各画素の発光素子のための輝度データかを判定し、
前記第２領域の各画素の発光素子のための輝度データと判定したときには、前記輝度データに対する発光輝度より高い輝度で発光させる新たな輝度データに変更し、前記新たな輝度データに基づいて前記第２領域の各画素の発光素子を発光させるようにしたことを特徴とする表示装置の表示方法。
【請求項４】
請求項１〜３のいずれか一つに記載の表示装置の表示方法において、
前記各画素の発光素子に供給する電源電圧は、予め設定したホワイトバランスのための輝度比で決まる電源電圧より大きくなるようにしたことを特徴とする表示装置の表示方法。
【請求項５】
請求項１〜４のいずれか一つに記載の表示装置の表示方法において、
前記表示パネルに表示される画像は、車両の車両情報を報知する車両情報画像であることを特徴とする表示装置の表示方法。
【請求項６】
請求項１〜５のいずれか一つに記載の表示装置の表示方法において、
前記発光素子は、エレクトロルミネッセンス素子であることを特徴とする表示装置の表示方法。
【請求項７】
複数の走査線と複数のデータ線との交差部に対応した各位置に、単色光を出射する発光素子を有する画素が形成された表示パネルと、
前記表示パネルに対向して配置され、前記表示パネルの複数の画素の発光素子から出射された単色光をカラー画像を表示させるための赤色の光、緑色の光、及び青色の光に変換
する赤用、緑用、青用の各色変換層を備えた第１領域と、前記表示パネルの複数の画素の発光素子から出射される単色光で単色画像を表示させるための単色の光に変換する変換層を備えた第２領域とを有するカラーフィルタと、
前記赤色の光、緑色の光、青色の光の各発光輝度比を設定する輝度比設定手段と、
外部装置からの前記画素に対する輝度データに基づいて前記データ線を介して前記画素の発光素子に前記輝度データに相対した発光輝度で発光させるデータ信号を出力するデータ信号生成手段と
を備えた表示装置において、
前記表示パネル中に、同一の前記輝度データに対して前記カラーフィルタの前記第１領域から出射する光のホワイトバランス調整輝度より前記第２領域から出射する光の調整輝度が大きくなるように、前記第２領域の画素の発光素子を発光させるための制御手段を備えたことを特徴とする表示装置。
【請求項８】
請求項７に記載の表示装置において、
前記制御手段は、
前記第２領域の各画素の発光素子に対する前記輝度データに付加された輝度変換データを抽出する抽出手段と、
前記抽出した前記輝度変換データに基づいて前記第２領域の各画素の発光素子の前記輝度データを前記輝度データに対する発光輝度より大きい発光輝度で発光させる新たな輝度データに変換し前記データ信号生成手段に出力するデータ変換手段と
を備えたことを特徴とする表示装置。
【請求項９】
請求項８に記載の表示装置において、
前記制御手段は、
前記外部装置から出力される輝度データの同期信号をカウントする計数手段と、
前記計数手段のカウント値に基づいて、前記同期信号とともに出力される輝度データが、前記第２領域の各画素の発光素子のための輝度データかを判定する判定手段と、
前記判定手段が前記第２領域の各画素の発光素子のための輝度データと判定したとき、前記輝度データに対する発光輝度より大きい発光輝度で発光させる新たな輝度データを出力する輝度データ生成手段と、
前記判定手段が前記第２領域の各画素の発光素子のための輝度データと判定したとき、前記外部装置からの輝度データに代えて、前記輝度データ生成手段から出力された前記新たな輝度データを選択して前記データ信号生成手段に出力する輝度データ選択手段と
を備えたことを特徴とする表示装置。
【請求項１０】
請求項７〜９のいずれか一つに記載の表示装置において、
前記表示パネルに表示される画像は、車両の車両情報を報知する車両情報画像であることを特徴とする表示装置。
【請求項１１】
請求項７〜１０のいずれか一つに記載の表示装置において、
前記発光素子は、エレクトロルミネッセンス素子であることを特徴とする表示装置。
【請求項１２】
請求項７〜１１のいずれか一つに記載の表示装置を備えたことを特徴とする電子機器。
【発明の詳細な説明】
【技術分野】
【０００１】
本発明は、表示装置の表示方法、表示装置及び電子機器に関する。
【背景技術】
【０００２】
近年、有機エレクトロルミネッセンス（以下、「有機ＥＬ」という）素子を用いた有機ＥＬパネルが、軽量、高輝度、高視野角、高コントラスト比で他の表示装置より優れているとして注目されている（例えば、特許文献１参照）。こうした有機ＥＬパネルを用いた有機ＥＬ表示装置が知られている。ところで、有機ＥＬ表示装置は、各メーカ毎に又は使用目的等、それぞれ特徴を出すために独自のホワイトバランスに設定されて出荷されている。そのため、出荷前には、ホワイトバランスの調整が行われている。
【０００３】
ホワイトバランスは、赤色の光を出射する赤用発光素子、緑色の光を出射する緑用発光素子及び青色の光を出射する青用発光素子の発光輝度の輝度比で決まる。一般に、各色の発光素子に供給する電源電圧を調整することによって輝度比を調整するが、その供給する電源電圧は、その輝度比に相対して一義的に決まらない。各色の発光素子毎に発光特性が異なるので、その発光特性を考慮して各色の発光素子に供給する電源電圧を設定している。このとき、あわせて、最大発光輝度（例えば、１００カンデラ）を考慮して各色の発光素子に供給する電源電圧を設定している。
【特許文献１】特開２００４−１２７９２４号公報
【発明の開示】
【発明が解決しようとする課題】
【０００４】
ところで、発光素子を単色光（例えば、白色の光）を出射する発光素子とし、その各発光素子が形成された表示パネルの表示エリアに対向してカラーフィルタを備えることで、各発光素子から出射された前記単色光を赤色、緑色及び青色の光に変換してカラー画像を表示するようにした表示装置において、前記各色の発光素子の最大発光輝度は、ホワイトバランスで設定した時の電源電圧で決まってしまう。例えば、ホワイトバランスを調整した結果、例えば、緑色光の輝度が他の赤、青色の光の輝度比が小さいと、緑単色で発光表示させる場合、その最大発光輝度は、他の赤、青色の光の最大発光輝度より小さくなってしまう。つまり、高輝度で発光する能力があるにも関わらずそれ以上の発光輝度で発光させることはできなかった。
【０００５】
従って、例えば、通常時には、通常の輝度でフルカラーの画像表示をして、特殊時には、例えば、緑単色でしかも高輝度で画像表示したい場合、緑単色の高輝度表示をすることには限界があった。また、表示パネルの表示エリア中にある領域ではフルカラー表示を、他の領域で単色の高輝度表示をすることも限界があった。
【０００６】
本発明は上記問題点を解決するためになされたものであって、その目的は、カラーフィルタを備えた表示装置において、ホワイトバランスで個々の色の最大発光輝度が制限されていても、ホワイトバランス調整輝度より大きい発光輝度で表示を行うことができるとともに、画像の表示態様を増やし表示装置の用途を広げることができる表示装置の表示方法、表示装置及び電子機器を提供することにある。
【課題を解決するための手段】
【０００７】
本発明の表示装置の表示方法は、複数の走査線と複数のデータ線との交差部に対応した各位置に、単色光を出射する発光素子を有する画素が形成された表示パネルと、前記表示パネルに対向して配置され、前記表示パネルの複数の画素の発光素子から出射された単色
光でカラー画像を表示させるための赤、緑、及び青色の光に変換する赤用、緑用、青用の各色変換層を備えた第１領域と、前記表示パネルの複数の画素の発光素子から出射される単色光を単色画像で表示させるための単色の光に変換する変換層を備えた第２領域とを有するカラーフィルタとを備え、外部装置から前記画素に対する輝度データに基づいて前記データ線を介して前記画素に供給するデータ信号を生成し、前記画素の発光素子を、前記画素毎に生成したデータ信号に基づいて、発光させて前記カラーフィルタを介して画像を表示する表示装置の表示方法において、前記表示パネル中に、同一の前記輝度データに対して前記カラーフィルタの前記第１領域から出射する光のホワイトバランス調整輝度より前記第２領域から出射する光の調整輝度が大きくなるように、前記第２領域の画素の発光素子を発光させるようにした。
【０００８】
これによれば、単色光の色を変換する色変換層と単色光をそのまま変換せずに出射するカラーフィルタを備えた表示装置において、その単色光を出射する発光素子を有する画素が形成された表示パネル中に、同一の前記輝度データに対してホワイトバランス調整輝度より大きい調整輝度で発光する領域を形成することができる。この結果、画像の表示態様を増やし表示装置の用途を広げることができる。
【０００９】
この表示装置の表示方法において、前記外部装置からの輝度データに変換データを付加し、前記付加した変換データに基づいて前記輝度データを前記新たな輝度データに変換し、前記新たな輝度データに基づいて前記第２領域の各画素の発光素子を前記輝度データに対する発光輝度より大きい輝度で発光させるようにしてもよい。
【００１０】
これによれば、第２領域の各画素の発光素子に対する輝度データは、赤用、緑用、青用の各色変換層に対する発光素子毎に予め設定された最大発光輝度より高い発光輝度で発光させるための新たな輝度データに変換される。そして、第２領域の各画素の発光素子は、その新たな輝度データに基づいた輝度で発光する。従って、第２領域の各画素の発光素子を、予め設定された最大発光輝度に制限されることなく高輝度で発光させることができる。この結果、画像の表示態様を増やし表示装置の用途を広げることができる。
【００１１】
この表示装置の表示方法において、前記外部装置から出力される輝度データが、前記第２領域の各画素の発光素子のための輝度データかを判定し、前記第２領域の各画素の発光素子のための輝度データと判定したときには、前記輝度データに対する発光輝度より高い輝度で発光させる新たな輝度データに変更し、前記新たな輝度データに基づいて前記第２領域の各画素の発光素子を発光させるようにしてもよい。
【００１２】
これによれば、外部装置から出力される輝度データが、ホワイトバランス調整輝度より大きい調整輝度で発光する領域の各画素の発光素子のための輝度データかを判定することにより、外部装置から出力される輝度データ自体に、前記新たな輝度データに変更させるためのデータを付加するといった加工をする必要はない。この結果、既存の外部装置を使用することができる。
【００１３】
この表示装置の表示方法において、前記各画素の発光素子に供給する電源電圧は、予め設定したホワイトバランスのための輝度比で決まる電源電圧より大きくなるようにしてもよい。
【００１４】
これによれば、各発光素子には、ホワイトバランスのための輝度比で決まる電源電圧より大きな電源電圧が供給されているので、発光素子に前記ホワイトバランス調整輝度よりも大きい発光輝度で発光させるためのデータ信号が供給された場合であっても、発光素子に供給される電流（駆動電流）が飽和することはない。この結果、発光素子をホワイトバランス調整輝度よりも大きい発光輝度で発光させることができる。
【００１５】
この表示装置の表示方法において、前記表示パネルに表示される画像は、車両の車両情報を報知する車両情報画像であってもよい。
これによれば、前記領域の発光素子を、たとえば、車両の左右方向指示表示灯やシートベルト表示灯といった、所謂特殊マークの表示に使用することによって、その特殊マークを、ホワイトバランス調整輝度より大きい調整輝度で発光させることができる。この結果、画像の表示態様を増やし表示装置の用途を広げることができることにより、特殊マークの視認性を高め、車両を運転する運転者に対してその特殊マークの表示を確実に視認させることが可能となる。
【００１６】
この表示装置の表示方法において、前記発光素子は、エレクトロルミネッセンス素子であってもよい。
これによれば、発光素子としてエレクトロルミネッセンス素子を備えた表示装置において、表示パネル中の前記領域の発光素子を、ホワイトバランス調整輝度より大きい調整輝度で発光させることができる。
【００１７】
本発明の表示装置は、複数の走査線と複数のデータ線との交差部に対応した各位置に、単色光を出射する発光素子を有する画素が形成された表示パネルと、前記表示パネルに対向して配置され、前記表示パネルの複数の画素の発光素子から出射された単色光をカラー画像を表示させるための赤色の光、緑色の光、及び青色の光に変換する赤用、緑用、青用の各色変換層を備えた第１領域と、前記表示パネルの複数の画素の発光素子から出射される単色光で単色画像を表示させるための単色の光に変換する変換層を備えた第２領域とを有するカラーフィルタと、前記赤色の光、緑色の光、青色の光の各発光輝度比を設定する輝度比設定手段と、外部装置からの前記画素に対する輝度データに基づいて前記データ線を介して前記画素の発光素子に前記輝度データに相対した発光輝度で発光させるデータ信号を出力するデータ信号生成手段とを備えた表示装置において、前記表示パネル中に、同一の前記輝度データに対して前記カラーフィルタの前記第１領域から出射する光のホワイトバランス調整輝度より前記第２領域から出射する光の調整輝度が大きくなるように、前記第２領域の画素の発光素子を発光させるための制御手段を備えた。
【００１８】
これによれば、単色光の色を変換する色変換層と単色光をそのまま変換せずに出射するカラーフィルタを備えた表示装置において、その単色光を出射する発光素子を有する画素が形成された表示パネル中に、同一の前記輝度データに対してホワイトバランス調整輝度より大きい調整輝度で発光する領域を形成することができる。この結果、画像の表示態様を増やし表示装置の用途を広げることができる。
【００１９】
この表示装置において、前記制御手段は、前記第２領域の各画素の発光素子に対する前記輝度データに付加された輝度変換データを抽出する抽出手段と、前記抽出した前記輝度変換データに基づいて前記第２領域の各画素の発光素子の前記輝度データを前記輝度データに対する発光輝度より大きい発光輝度で発光させる新たな輝度データに変換し前記データ信号生成手段に出力するデータ変換手段とを備えてもよい。
【００２０】
これによれば、表示パネル中の所定の領域の各画素の発光素子に対する輝度データは、各色の光を出射する発光素子毎に予め設定されたホワイトバランス調整輝度より大きい発光輝度で発光させるための新たな輝度データに変換される。そして、その領域の各画素の発光素子は、その新たな輝度データに基づいた輝度で発光する。従って、上記所定の領域の各画素の発光素子を、予め設定されたホワイトバランス調整輝度に制限されることなく大きな発光輝度で発光させることができる。この結果、画像の表示態様を増やし表示装置の用途を広げることができる。
【００２１】
この表示装置において、前記制御手段は、前記外部装置から出力される輝度データの同期信号をカウントする計数手段と、前記計数手段のカウント値に基づいて、前記同期信号とともに出力される輝度データが、前記第２領域の各画素の発光素子のための輝度データかを判定する判定手段と、前記判定手段が前記第２領域の各画素の発光素子のための輝度データと判定したとき、前記輝度データに対する発光輝度より大きい発光輝度で発光させる新たな輝度データを出力する輝度データ生成手段と、前記判定手段が前記第２領域の各画素の発光素子のための輝度データと判定したとき、前記外部装置からの輝度データに代えて、前記輝度データ生成手段から出力された前記新たな輝度データを選択して前記データ信号生成手段に出力する輝度データ選択手段とを備えてもよい。
【００２２】
これによれば、外部装置から出力される輝度データが、ホワイトバランス調整輝度より大きい調整輝度で発光する領域の各画素の発光素子のための輝度データかを判定することにより、外部装置から出力される輝度データ自体に、前記新たな輝度データに変更させるためのデータを付加するといった加工をする必要はない。この結果、既存の外部装置を使用することができる。
【００２３】
この表示装置において、前記表示パネルに表示される画像は、車両の車両情報を報知する車両情報画像であってもよい。
これによれば、前記領域の発光素子を、たとえば、車両の左右方向指示表示灯やシートベルト表示灯といった、所謂特殊マークの表示に使用することによって、その特殊マークを、ホワイトバランス調整輝度より大きい調整輝度で発光させることができる。この結果、画像の表示態様を増やし表示装置の用途を広げることができることにより、特殊マークの視認性を高め、車両を運転する運転者に対してその特殊マークの表示を確実に視認させることが可能となる。
【００２４】
この表示装置において、前記発光素子は、エレクトロルミネッセンス素子であってもよい。
これによれば、発光素子としてエレクトロルミネッセンス素子を備えた表示装置において、表示パネル中の前記領域の発光素子を、ホワイトバランス調整輝度より大きい調整輝度で発光させることができる。
【００２５】
本発明の表示装置は、上記記載の表示装置を備えている。
これによれば、ホワイトバランス調整輝度より大きい調整輝度で発光させることができる表示装置を備えた電子機器を提供することができる。
【発明を実施するための最良の形態】
【００２６】
（第１実施形態）
以下、本発明を車載用表示装置に具体化した第１実施形態を、図面に従って説明する。
図１に示すように、本実施形態の車載用表示装置（以下、単に「表示装置」という）１は、車両Ｃの電子機器としてのインストルメントパネルＷに搭載されている。表示装置１は、その表示エリアＨに車両Ｃの運転状態に関する情報を運転者に報知するための画面Ｆを表示する。
【００２７】
図２に示すように、画面Ｆには、その表示エリアＨの中央に車速を表す車両情報画像としてのスピードメータ画像Ｆ１やその周囲に各種特殊マーク表示Ｆ２が表示される。スピードメータ画像Ｆ１には、「０」、「２０」、「４０」、…、「１８０」の車両Ｃの車速を示す数値Ｍａが所定の間隔で表示される。また、スピードメータ画像Ｆ１には、各数値Ｍａに囲まれる位置に指針Ｍｂが表示される。指針Ｍｂは、その時々の車両Ｃの車速に応じて、その基端部Ｍｃを回動中心に回動表示されてその時々の車速を指標するようになっている。
【００２８】
各種特殊マーク表示Ｆ２は、スピードメータ画像Ｆ１の指針Ｍｂのように、その時々で表示位置が変化する、所謂動画画像ではなく、単色で点灯若しくは消灯される画像であって、例えば、左右方向指示表示灯Ｆ2a，Ｆ2bやシートベルト表示灯Ｆ2cである。因みに、左方向指示表示灯Ｆ2aは、表示エリアＨ中の左上端部に配置され、右方向指示表示灯Ｆ2aは、表示エリアＨ中の右上端部に配置されている。また、シートベルト表示灯Ｆ2cは、表示エリアＨ中の右下端部に配置されている。さらに、左右方向指示表示灯Ｆ2a，Ｆ2b及びシートベルト表示灯Ｆ2cは、白色単色で表示される。
【００２９】
そして、本実施形態では、スピードメータ画像Ｆ１は、その発光輝度が動画のための輝度表示モードであって、予め定めたホワイトバランス調整輝度に基づいた発光輝度で各有機ＥＬ素子９（各画素８）が発光する（第１輝度表示モード）。これに対して、各種特殊マーク表示Ｆ２は、その発光輝度が点灯・点滅表示のための輝度表示モードであって、スピードメータ画像Ｆ１での発光輝度（各有機ＥＬ素子９（各画素８）のそれぞれの発光輝度）より大きい発光輝度で有機ＥＬ素子９（各画素８）のいずれかが単独で発光する（第２輝度表示モード）。つまり、表示装置１の表示エリアＨには、第１輝度表示モードでスピードメータ画像Ｆ１を表示する画素領域と第２輝度表示モードで特殊マーク表示Ｆ２を表示する特定領域（単色表示領域）としての画素領域が併存する。
【００３０】
図３に示すように、表示装置１の表示パネル部２は、表示パネル４及びカラーフィルタ５を備えている。
図４に示すように、表示パネル４は、その略中央に前記した表示エリアＨが区画形成されている。表示エリアＨには、行方向（図３中Ｘ矢印方向）にｎ本の走査線ＬＹ１〜ＬＹｎが形成されているとともに、各走査線ＬＹ１〜ＬＹｎと交差するように列方向（図３中Ｙ矢印方向）にｍ本のデータ線ＬＸ１〜ＬＸｍが形成されている。
【００３１】
さらに、表示エリアＨは、各走査線ＬＹ1〜ＬＹnとデータ線ＬＸ1〜ＬＸmとの交差部に対応した位置に、単色光を出射する画素８を備えている。さらにまた、表示エリアＨには、データ線ＬＸ1〜ＬＸmに平行に３種類の第１〜第３電源線ＬｏＲ，ＬｏＧ，ＬｏＢが形成されている。第１電源線ＬｏＲは、表示エリアＨの左端に列方向（図４中Ｙ矢印方向）に沿って配置されたｎ個の画素８群から数えて１列目、４列目、…に配線されており、第２電源線ＬｏＧは、表示エリアＨの左端に列方向（図４中Ｙ矢印方向）に沿って配置されたｎ個の画素８群から数えて２列目、５列目、…に配線されている。また、第３電源線ＬｏＢは、表示エリアＨの左端に列方向（図４中Ｙ矢印方向）に沿って配置されたｎ個の画素８群から数えて３列目、６列目、…ｍ列目配線されている。そして、各第１電源線ＬｏＲには第１電源電圧ＶRが、第２電源線ＬｏＧには第２電源電圧ＶGが、また、第３電源線ＬｏＢには第３電源電圧ＶBが、それぞれ供給されている。この第１〜第３電源電圧ＶR，ＶG，ＶBは、その大きさが制御されることで、各画素８の発光輝度がその列方向に沿って配置された画素８毎に変化する。
【００３２】
図５は、表示エリアＨに形成された各画素８の電気的構成を示す回路図である。図５において、各画素８には、電気光学素子として発光層が有機材料で構成された有機ＥＬ素子９を有している。そして、本実施形態の発光素子９は、白色の光（単色光）を出射するエレクトロルミネッセンス（ＥＬ）素子であって、その発光層が低分子の材料で構成されたものである。
【００３３】
また、各画素８には、駆動トランジスタＱｄ、スイッチングトランジスタＱｓｗ及び保持キャパシタＣ１を備えている。駆動トランジスタＱｄ及びスイッチングトランジスタＱｓｗはＮチャネルＴＦＴより構成されている。
【００３４】
各画素８の駆動トランジスタＱｄは、ソースが前記有機ＥＬ素子９の陽極に接続され、ドレインが対応する第１〜第３電源線ＬｏＲ，ＬｏＧ，ＬｏＢに接続されている。尚、説明の便宜上、画素８を区別する場合、以降、第１電源線ＬｏＲに接続された各画素８を第１画素８、第２電源線ＬｏＧに接続された各画素８を第２画素８、第３電源線ＬｏＢに接続された各画素８を第３画素８という。
【００３５】
駆動トランジスタＱｄのゲートと各電源線ＬｏＲ，ＬｏＧ，ＬｏＢとの間には、保持キャパシタＣ１が接続されている。スイッチングトランジスタＱｓｗのゲートは、対応する走査線ＬＹ１〜ＬＹｎにそれぞれ接続されている。又、スイッチングトランジスタＱｓｗは、ドレインがデータ線ＬＸ１〜ＬＸｍに接続され、ソースが駆動トランジスタＱｄのゲート及び保持キャパシタＣ１に接続されている。
【００３６】
データ線ＬＸ１〜ＬＸｍのうち、第１データ線ＬＸ１，第４データ線ＬＸ４，…，第ｍ−２データ線ＬＸｍ−２には、後記する赤用データ信号ＤＸ１，ＤＸ４，…，ＤＸｍ−２が供給される。また、第２データ線ＬＸ２，第５データ線ＬＸ５，…，第ｍ−１データ線ＬＸｍ−１には、後記する緑用データ信号ＤＸ２，ＤＸ５，…，ＤＸｍ−１が供給される。さらに、第３データ線ＬＸ３，第６データ線ＬＸ６，…，第ｍデータ線ＬＸｍには、後記する青用データ信号ＤＸ３，ＤＸ６，…，ＤＸｍが供給される。
【００３７】
従って、第１画素８のスイッチングトランジスタＱｓｗは第１データ線ＬＸ１，第４データ線ＬＸ４，…，第ｍ−２データ線ＬＸｍ−２に接続されている。また、第２画素８のスイッチングトランジスタＱｓｗは第２データ線ＬＸ２，第５データ線ＬＸ５，…，第ｍ−１データ線ＬＸｍ−１に接続されている。さらに、第３画素８のスイッチングトランジスタＱｓｗは第３データ線ＬＸ３，第６データ線ＬＸ６，…，第ｍデータ線ＬＸｍに接続されている。
【００３８】
各第１〜第３電源線ＬｏＲ，ＬｏＧ，ＬｏＢには、第１電源電圧ＶＲ，第２電源電圧ＶＧ，第３電源電圧ＶＢが独立して供給されるようになっている。そして、第１電源線ＬｏＲは、第１画素８に第１電源電圧ＶＲを供給し、第２電源線ＬｏＧは第２画素８に第２電源電圧ＶＧを供給し、第３電源線ＬｏＢは第３画素８に第３電源電圧ＶＢを供給する。
【００３９】
尚、前記したように、各第１電源線ＬoRに供給する第１電源電圧ＶＲ、各第２電源線ＬGoに供給する第２電源電圧ＶＧ、各第３電源線ＬoBに供給する第３電源電圧ＶＢは、第１輝度表示モードで設定された白バランスにおける電圧値よりも大きな値に設定している。つまり、第２輝度表示モードで各発光素子を発光させる際に、第２輝度表示モードでの輝度データに相対して発光素子９に流れる電流値が飽和しない大きさに設定している。言い換えると、第１〜第３電源電圧ＶＲ，ＶＧ，ＶＢは、第１輝度表示モードでの輝度データに対する白バランスを考慮しつつ、第２輝度表示モードでの輝度データに対する高輝度単色表示が可能な電圧値に設定されている。
【００４０】
図３に示すように、カラーフィルタ５は、表示パネル４の表示エリアＨに対向して配置されている。カラーフィルタ５は、カラー画像表示のための第１の色変換層Ｃ１と、単色画像表示のための第２の色変換層Ｃ２とを有している。
【００４１】
第１の色変換層Ｃ１は、画素８から出射された白色の単色光を赤色、緑色、青色の光に変換する色変換層である。本実施形態では、赤色に着色された赤用色変換層としての赤用透明着色層（赤用着色層）６Ｒと、緑色に着色された緑用色変換層としての緑用透明着色層（緑用着色層）６Ｇと、青色に着色された青用色変換層としての青用透明着色層（青用着色層）６Ｂとから構成されている。
【００４２】
図６は、カラーフィルタ５の図３中Ａ−Ａでの断面模式図である。図６に示すように、赤用着色層６Ｒ、緑用着色層６Ｇ、青用着色層６Ｂ、及び、第２の色変換層Ｃ２は、隣接する他の層との間にブラックマトリクス層ＢＭが形成されている。そして、図３に示すように、第１の色変換層Ｃ１の赤用着色層６Ｒ、緑用着色層６Ｇ、青用着色層６Ｂは、表示エリアＨの中央に対向する位置に配置されている。図６に示すように、赤用着色層６Ｒは発光素子９から出射した白色の光ＬＷを赤色の光ＬＲに色変換して透過させる色変換層である。緑用透明着色層６Ｇは発光素子９から出射した白色の光ＬＷを緑色の光ＬＧに色変換して透過させる色変換層である。青用透明着色層６Ｂは発光素子９から出射した白色の光ＬＷを青色の光ＬＢに色変換して透過させる色変換層である。赤用着色層６Ｒは第１画素８、緑用着色層６Ｇは第２画素８、青用着色層６Ｂは第３画素８に相対向するように配置される。そして、行方向に沿って隣接した赤用着色層６Ｒ、緑用着色層６Ｇ及び青用着色層６Ｂを一つの組とする３つの画素８によって１組のカラー画素を構成する。
【００４３】
そして、カラーフィルタ５において、第１の色変換層Ｃ１は、図２に示す特殊表示マークＦ２を表示する画素８が形成される領域（第２領域）を除く領域（第１領域）の画素８と対向するように形成されている。従って、スピードメータ画像Ｆ１は、このカラーフィルタ５の第１の色変換層Ｃ１の赤、緑及び青用着色層６Ｒ，６Ｇ，６Ｂに対向する位置に配置された各画素８の発光素子９から出射された緑色の単色光が、それぞれ赤色、緑色、青色の光に変換され、その各色の光が合成して形成されたカラー画像となる。
【００４４】
第２の色変換層Ｃ２は、図６に示すように、発光素子９から出射した白色の光ＬＷを緑色の光ＬＧに色変換して透過させる色変換層である。第２の色変換層Ｃ２は、図２に示す特殊マーク表示Ｆ２を表示する領域（第２領域）の画素８と対向するように形成されている。従って、特殊マーク表示Ｆ２（左右方向指示表示灯Ｆ2a，Ｆ2b及びシートベルト表示灯Ｆ2c）は、このカラーフィルタ５の第２の色変換層Ｃ２に対向する位置に配置された各画素８の発光素子９から出射された白色の単色光が緑色の光となって形成された単色画像となる。
【００４５】
次に、表示装置１の電気的構成を、図７に従って説明する。
表示装置１は、パネルモジュールＰＡとパネル制御部ＰＢとを備えている。
パネルモジュールＰＡは、表示パネル部２、走査線駆動回路１１、データ信号生成手段としてのデータ線駆動回路１２を備えている。
【００４６】
走査線駆動回路１１は、走査線ＬＹ１〜ＬＹｎに接続されている。各走査線駆動回路１１は、走査線ＬＹ１〜ＬＹｎに接続され、各走査線ＬＹ１〜ＬＹｎを１本ずつ、例えば、第１走査線ＬＹ１→第２走査線ＬＹ２→…→第ｎ走査線ＬＹｎ→第１走査線ＬＹ１→…の順に選択する走査信号を生成する。これにより、表示エリアＨ上の各画素８を、その行方向に沿って配置された複数の画素８毎に順次選択動作させる。
【００４７】
データ線駆動回路１２は、表示エリアＨ内に形成されたデータ線ＬＸ１〜ＬＸｍに接続されている。図８に示すように、データ線駆動回路１２は、その内部にデータ線ＬＸ１〜ＬＸｍの数だけ、即ち、ｍ個のデジタル・アナログ変換回路（以下、ＤＡ変換回路という）１２a1，１２a2，１２a3，…，１２amを備えている。各ＤＡ変換回路１２a1〜１２amは、公知のデジタル・アナログ変換回路であって、本実施形態では１１ビットの電流出力型デジタル・アナログ変換回路である。各ＤＡ変換回路１２a1〜１２amには、１１ビットの各ビット値に対応した重み付けがなされた電流を出力する１１個の図示しない電流源を内蔵している。
【００４８】
また、ＤＡ変換回路１２a1〜１２amは、赤、緑及び青用変換ビデオデータRVD，GVD，BVD及び赤、緑及び青用基準電圧ＥＲ，ＥＧ，ＥＢを入力する。赤用変換ビデオデータ（以
下、赤用ビデオデータという）RVDは、第１画素８に対応したＤＡ変換回路１２a1，１２a4，…に供給されるようになっている。この赤用ビデオデータRVDは、１１ビットのビットデータであって、各ビット値に応じてＤＡ変換回路１２a1，１２a4，…内にそれぞれ設けられた１１個の各電流源をオン・オフ制御する。そして、オンされた電流源から出力された電流の総和が赤用データ信号ＤＸ１，ＤＸ４，…となり、対応するデータ線ＬＸ１，ＬＸ４，…に出力される。
【００４９】
同様に、緑用変換ビデオデータ（以下、緑用ビデオデータという）GVDは、第２画素８
に対応したＤＡ変換回路１２a2，１２a5，…に供給されるようになっている。この緑用ビデオデータGVDは、１１ビットのビットデータであって、各ビット値に応じてＤＡ変換回
路１２a2，１２a5，…内に設けられた前記１１個の各電流源をオン・オフ制御する。そして、オンされた電流源から出力された電流の総和が緑用データ信号ＤＸ２，ＤＸ５，…となり、対応するデータ線ＬＸ２，ＬＸ５，…に出力される。
【００５０】
また同様に、青用変換ビデオデータ（以下、青用ビデオデータという）BVDは、第３画
素８に対応したＤＡ変換回路１２a3，１２a6，…，１２aｍに供給されるようになってい
る。この青用ビデオデータBVDは、１１ビットのデジタルデータであって、各ビット値に
応じてＤＡ変換回路１２a3，１２a6，…，１２aｍ内に設けられた前記１１個の各電流源
をオン・オフ制御する。そして、オンされた電流源から出力された電流の総和が青用データ信号ＤＸ３，ＤＸ６，…，ＤＸｍとなり、対応するデータ線ＬＸ３，ＬＸ６，…，ＬＸｍに出力される。
【００５１】
因みに、本実施形態では、各ビデオデータRVD，GVD，BVDは、第１輝度表示モードで各
有機ＥＬ素子９を発光させる場合には、１１ビットのビットデータのうち、下位８ビットのビットデータで発光制御され、第２輝度表示モードで各有機ＥＬ素子９を発光させる場合には、１１ビットのビットデータで発光制御されるようになっている。
【００５２】
赤、緑及び青用基準電圧ＥＲ，ＥＧ，ＥＢは、各ＤＡ変換回路１２a1〜１２amにて生成されるデータ信号ＤＸ１〜ＤＸｍの基準値を決めるための電圧である。赤用基準電圧ＥＲは、その赤用データ信号ＤＸ１，ＤＸ４，…を生成するＤＡ変換回路１２a1，１２a4，…に供給される。緑用基準電圧ＥＧは、その緑用データ信号ＤＸ２，ＤＸ５，…を生成するＤＡ変換回路１２a2，１２a5，…に供給される。青用基準電圧ＥＢは、その青用データ信号ＤＸ３，ＤＸ６，…，ＤＸｍを生成するＤＡ変換回路１２a3，１２a6，…１２aｍに供
給されるようになっている。
【００５３】
図７に示すように、パネル制御部ＰＢは、ＥＥＰＲＯＭ１５、パネル制御回路１６、制御回路、制御手段、データ変換手段及び抽出手段としてのデータ演算回路部１７、基準電圧生成回路１８、輝度比設定手段としての電源回路１９を備えている。
【００５４】
ＥＥＰＲＯＭ１５は、前記赤、緑及び青用基準電圧ＥＲ，ＥＧ，ＥＢを作成するための様々な基準電圧設定データＤＥＲ，ＤＥＧ，ＤＥＢを格納している。
パネル制御回路１６は、制御データに従ってＥＥＰＲＯＭ１５から所定の基準電圧設定データＤＥＲ，ＤＥＧ，ＤＥＢを読み出し、その読み出した所定の基準電圧設定データＤＥＲ，ＤＥＧ，ＤＥＢを基準電圧生成回路１８に出力する。この制御データは、車両Ｃの運転状態に応じて、図示しない入力手段から入力される入力信号に従った入力データであって、例えば、夜間時に走行している場合であって、運転者が画像Ｆを全体的に明るくしたいとき、運転者が図示しない入力手段を操作することによって入力された入力データである。
【００５５】
基準電圧生成回路１８は、パネル制御回路１６によって抽出された基準電圧設定データ
ＤＥＲ，ＤＥＧ，ＤＥＢをアナログ変換して、赤、緑及び青用基準電圧ＥＲ，ＥＧ，ＥＢを作成する。そして、基準電圧生成回路１８は、赤、緑及び青用基準電圧ＥＲ，ＥＧ，ＥＢを、データ線駆動回路１２のＤＡ変換回路１２a1〜１２amに出力する。
【００５６】
図７に示すように、データ演算回路部１７は、表示装置１の外部に設けられた外部装置ＧＳからビデオデータＤ、データクロックDCLC及びフレームクロックFCLCを入力する。
ビデオデータＤは、図２に示すように、表示装置１の表示エリアＨに、スピードメータ画像Ｆ１と特殊マーク表示Ｆ２を表示するためのデータである。図９に、ビデオデータＤであって、１つの画素８（有機ＥＬ素子９）のためのデータ構造を示す。図９において、ビデオデータＤは、１０ビットで構成され、下位８ビットのビット値「Ａ８，Ａ７，Ａ６，Ａ５，Ａ４，Ａ３，Ａ２，Ａ１」が輝度データＤａに、上位２ビットのビット値「Ｂ２，Ｂ１」が輝度モードデータＤｂに割り当てられている。つまり、ビデオデータＤは、８ビットの輝度データＤａに２ビットの輝度モードデータＤｂが付加されたデータである。
【００５７】
８ビットの輝度データＤａは、通常の輝度表示、本実施形態では第１輝度表示モードで画素８（有機ＥＬ素子９）を発光させる通常の発光輝度データである。輝度モードデータＤｂのビット値「Ｂ２，Ｂ１」は、第１輝度表示モードまたは第２輝度表示モードで画素８（有機ＥＬ素子９）を発光させるかどうかを決定するとともに、第２輝度表示モードの場合には、３種類の高輝度モードのうち１つを決定するモードデータである。本実施形態では、２ビットの輝度モードデータＤｂは、第１輝度表示モードのとき「０，０」に、第２輝度表示モードであって第１高輝度モードのとき「０，１」に、第２輝度表示モードであって第２高輝度モードのとき「１，０」に、第２輝度表示モードであって第３高輝度モードのとき「１，１」としている。
【００５８】
本実施形態では、図２に示す表示エリアＨにおいては、スピードメータ画像Ｆ１を表示する領域に属する各画素８のビデオデータＤは、第１輝度表示モードのための輝度モードデータＤｂが設定されている。また、特殊マーク表示Ｆ２を表示する領域に属する各画素８のビデオデータＤは、第２輝度表示モード（第１、第２または第３高輝度モード）のための輝度モードデータＤｂが設定されている。
【００５９】
データクロックDCLCは、１つの画素８のビデオデータＤが入力されたことを認識するための同期信号である。フレームクロックFCLCは、連続して入力するビデオデータＤを１フレーム毎に区分けすることを認識するための信号である。
【００６０】
データ演算回路部１７は、データクロックDCLCに同期して入力される各画素８のための１０ビットのビデオデータＤの上位２ビットの輝度モードデータＤｂを抽出して表示モードを判定する。そして、データ演算回路部１７は、輝度モードデータＤｂに応じて下位８ビットの輝度データＤａを図９に示すように変換して１１ビットの変換ビデオデータRVD
，GVD，BVDとしてデータ線駆動回路１２のＤＡ変換回路１２a1〜１２amに出力する。
【００６１】
すなわち、図１０に示すように、輝度モードデータＤｂが「０，０」のとき（第１輝度表示モード）、下位８ビットの輝度データＤａをそのまま下位８ビットとして上位３ビットを「０，０，０」にした変換ビデオデータRVD，GVD，BVDとして出力する。
【００６２】
また、輝度モードデータＤｂが「０，１」のとき（第１高輝度モード）、下位８ビットの輝度データＤａを１ビット上位にシフトして上位２ビットを「０，０」、下位１ビットを「０」にした変換ビデオデータ（第１変換ビデオデータ）RVD，GVD，BVDに変換される
。
【００６３】
さらに、輝度モードデータＤｂが「１，０」のとき（第２高輝度モード）、下位８ビッ
トの輝度データＤａを２ビット上位にシフトして上位１ビットを「０」、下位２ビットを「０，０」にした変換ビデオデータ（第２変換ビデオデータ）RVD，GVD，BVDを出力する
。従って、第２高輝度モードの場合、輝度データＤａは、第１高輝度モードよりも大きい発光輝度となる変換ビデオデータRVD，GVD，BVDに変換される。
【００６４】
さらにまた、輝度モードデータＤｂが「１，１」のとき（第３高輝度モード）、下位８ビットの輝度データＤａを３ビット上位にシフトして下位３ビットを「０，０，０」にした変換ビデオデータ（第３変換ビデオデータ）RVD，GVD，BVDを出力する。従って、第３
高輝度モードの場合、輝度データＤａは、第２高輝度モードよりも大きい発光輝度となる変換ビデオデータRVD，GVD，BVDに変換される。
【００６５】
また、データ演算回路部１７は、データクロックDCLC及びフレームクロックFCLCをパネル制御回路１６に出力する。すると、パネル制御回路１６は、データ演算回路部１７からのデータクロックDCLC及びフレームクロックFCLCに基づいて、走査線駆動回路１１及びデータ線駆動回路１２に駆動信号を出力する。即ち、走査線駆動回路１１には、走査線駆動回路１１が各走査線ＬＹ１〜ＬＹｎを順次選択動作するための走査線駆動信号が出力される。データ線駆動回路１２には、データ線駆動回路１２の各ＤＡ変換回路１２a1〜１２amに変換ビデオデータRVD，GVD，BVDを順番に出力するとともに、各ＤＡ変換回路１２a1〜
１２amから一斉にデータ信号ＤＸ１〜ＤＸｍを出力させるためのデータ線駆動信号が出力される。
【００６６】
電源回路１９は、外部電源Ｖｉｎを入力する。電源回路１９は、その入力した外部電源Ｖｉｎに基づいて第１〜第３電源電圧ＶＲ，ＶＧ，ＶＢを生成する。電源回路１９は、第１輝度表示モードでの輝度データに対するホワイトバランスを考慮しつつ、第２輝度表示モードでの輝度データに対する高輝度単色表示が可能な第１〜第３電源電圧ＶＲ，ＶＧ，ＶＢを生成するようになっている。本実施形態の電源回路１９は、第１輝度表示モードでの輝度データに対する各有機ＥＬ素子９のホワイトバランス調整輝度より少なくとも４倍大きい発光輝度で発光させても各有機ＥＬ素子９に流れる駆動電流が飽和しない第１〜第３電源電圧ＶＲ，ＶＧ，ＶＢを生成するように予め設定されている。そして、電源回路１９は、生成した第１〜第３電源電圧ＶＲ，ＶＧ，ＶＢを表示パネル２に出力する。
【００６７】
次に、表示装置１の作用を、図１１に示す、データ演算回路部１７の作用を示すフローチャートに従って説明する。
いま、運転席にあるキーシリンダに運転キーを差込み、エンジンを始動させると表示装置１に電源が投入される。すると、データ演算回路部１７は、パネル制御回路１６に対してデータ線駆動回路１２に赤、緑及び青用基準電圧ＥＲ，ＥＧ，ＥＢを供給するように要求する。パネル制御回路１６は、データ演算回路部１７からの要求に基づいて基準電圧生成回路１８からデータ線駆動回路１２に赤、緑及び青用基準電圧ＥＲ，ＥＧ，ＥＢを供給させると、その旨の応答信号をデータ演算回路部１７に出力する。また、データ演算回路部１７は、外部装置ＧＳからのデータクロックDCLCに同期してビデオデータＤを入力して表示装置１の表示エリアＨに図２に示す画面Ｆを表示するための信号処理を開始する（ステップＳ１−１、Ｓ１−２）。また、このとき、電源回路１９が第１〜第３電源電圧ＶＲ，ＶＧ，ＶＢを作成し、表示パネル部２に出力する。
【００６８】
そして、データ演算回路部１７は、１画素分のビデオデータＤを取り込むと、輝度モードデータＤｂを読み出す。そして、輝度モードデータＤｂが「０，０」のとき、データ演算回路部１７は、輝度データＤａを通常変換ビデオデータRVD，GVD，BVDとしてデータ線
駆動回路１２に出力する（ステップＳ１−４）。また、輝度モードデータＤｂが「０，１」のとき、データ演算回路部１７は、輝度データＤａを第１変換ビデオデータRVD，GVD，BVDとしてデータ線駆動回路１２に出力する（ステップＳ１−５）。さらに、輝度モード
データＤｂが「１，０」のとき、データ演算回路部１７は、輝度データＤａを第２変換ビデオデータRVD，GVD，BVDとしてデータ線駆動回路１２に出力する（ステップＳ１−６）
。さらにまた、輝度モードデータＤｂが「１，１」のとき、データ演算回路部１７は、輝度データＤａを第３変換ビデオデータRVD，GVD，BVDとしてデータ線駆動回路１２に出力
する（ステップＳ１−７）。
【００６９】
そして、１つの画素８Ｒ，８Ｇ，８ＢのビデオデータＤの変換が終わると、データ演算回路部１７は、表示オフ（運転キーのオフ）をチェックした後（ステップＳ１−８）、次の１つの画素８Ｒ，８Ｇ，８ＢのビデオデータＤを取り込み、同様な変換を行い、これを繰り返すことにより、表示パネル部２の表示エリアＨに図２に示す画面Ｆを表示する。
【００７０】
このようにして、外部装置ＧＳから表示装置１に図２に示す画面Ｆを表示するためのビデオデータＤが出力される。すると、表示パネル部２にはスピードメータ画像Ｆ１がホワイトバランスで調整されたホワイトバランス調整輝度で表示されるとともに、特殊マーク表示Ｆ２がホワイトバランス調整輝度に制限されることなく該ホワイトバランス調整輝度より大きい発光輝度で表示される。
【００７１】
上記実施形態によれば、以下の作用効果を奏する。
（１）本実施形態によれば、表示パネル４の表示エリアＨに相対向する位置に、各発光素子９からの単色光を色変換してスピードメータ画面Ｆ１を表示するための第１の色変換層Ｃ１と、各発光素子９からの白色の光ＬＷを緑色の光ＬＧに変換させることで特殊マーク表示Ｆ２を表示するための第２の色変換層Ｃ２とを有したカラーフィルタ５を配置した。
【００７２】
従って、スピードメータ画面Ｆ１をカラー画像で、また、特殊マーク表示Ｆ２である左右方向指示表示灯Ｆ2a，Ｆ2b及びシートベルト表示灯Ｆ2cを単色画像で表示させることができる。
【００７３】
（２）そして、本実施形態によれば、表示エリアＨに同色の光を発光する各発光素子９の発光輝度を決定する輝度データＤａに輝度モードデータＤｂを付加したビデオデータＤを供給した。また、その輝度モードデータＤｂに基づいて、発光素子９に対する新たな変換ビデオデータRVD，GVD，BVDを作成し、その変換ビデオデータRVD，GVD，BVDに基づいて各発光素子９を発光制御するようにした。
【００７４】
従って、一つの画面Ｆに、設定したホワイトバランスで調整されたホワイトバランス調整輝度で発光制御（第１輝度表示モード）されたスピードメータ画像Ｆ１と、ホワイトバランス調整輝度に制限されることなく該ホワイトバランス調整輝度より大きい発光輝度（第２輝度表示モード）される特殊マーク表示Ｆ２とを同時に表示することができる。
【００７５】
（３）本実施形態によれば、第２輝度表示モードについて、３種類（第１〜第３高輝度モード）を選択することができる。従って、発光素子９をホワイトバランス調整輝度の２倍、３倍または４倍の発光輝度で発光させて、特殊マーク表示Ｆ２を高輝度で発光表示することができる。つまり、赤、緑または青の単色で発光させる場合、ホワイトバランス調整輝度に制限されることなく該ホワイトバランス調整輝度より大きい発光輝度で発光することができる。
【００７６】
（４）本実施形態によれば、各画素８に形成される発光素子９は、白色の光（単色光）を出射するＥＬ素子であって、その発光層は低分子材料で構成されている。従って、発光素子９の発光層を蒸着法やスパッタ法を使用して形成することができる。この結果、表示装置１は、各画素に赤色の光を出射する発光素子、緑色の光を出射する発光素子、青色の
光を出射する発光素子というように各画素ごとに異なった種類の発光層を備えた表示パネルに比べて製造が容易となる。
【００７７】
（５）本実施形態によれば、表示エリアＨに表示される画面Ｆは、車両Ｃの車両情報としてのスピードメータ画像Ｆ１、左右方向指示表示灯Ｆ2a，Ｆ2b、シートベルト表示灯Ｆ2cを備えている。そして、左右方向指示表示灯Ｆ2a，Ｆ2b及びシートベルト表示灯Ｆ2cは、白バランス調整時の最大発光輝度より高い発光輝度で表示される。この結果、左右方向指示表示灯Ｆ2a，Ｆ2b及びシートベルト表示灯Ｆ2cの視認性を高め、車両を運転する運転者に対してその左右方向指示表示灯Ｆ2a，Ｆ2b及びシートベルト表示灯Ｆ2cの表示を確実に視認させることができる。
（第２実施形態）
以下、本発明を具体化した第２実施形態を、図１２及び図１３に従って説明する。
【００７８】
本実施形態では、外部装置ＧＳからの１画素分のビデオデータＤが、第１実施形態と相違して輝度モードデータＤｂが付加されていない８ビットの輝度データＤａで構成されている。そのため、本実施形態では、データ演算回路部１７において、データクロックDCLCに同期して入力されるビデオデータＤ（８ビットの輝度データＤａ）について、特殊マーク表示Ｆ２を表示する領域に属する各画素８（発光素子９）のビデオデータＤを見つけ出し特定する。データ演算回路部１７は、特定した各画素８（発光素子９）のビデオデータＤについては第１実施形態の変換ビデオデータRVD，GVD，BVDに相当する特殊表示ビデオ
データを生成し、それ以外のビデオデータＤをそのままデータ線駆動回路１２に出力する。
【００７９】
図１２に示すように、データ演算回路部１７には、計数手段としてのカウンタ２１、判定手段、輝度データ生成手段及び輝度データ選択手段としてのデータデコーダ２２、セレクタ２３を有している。
【００８０】
カウンタ２１は、データクロックDCLC及びフレームクロックFCLCを入力する。カウンタ２１は、データクロックDCLCを加算カウントする加算カウンタで、フレームクロックFCLCを入力する毎に加算値をリセットし再びデータクロックDCLCを加算カウントする。つまり、カウンタ２１のカウント値によって、データクロックDCLCに同期してデータ演算回路部１７に入力してくる１画素分のビデオデータＤが、表示エリアＨ中のどの画素８（発光素子９）かがわかる。
【００８１】
カウンタ２１のカウント値は、データデコーダ２２に出力される。データデコーダ２２は、予め設定した複数の設定値が記憶され、この設定値とカウント値を比較して一致したとき、切替信号Ｋａと特殊表示ビデオデータＫＤを出力するようになっている。複数の設定値は、カウンタ２１が特殊マーク表示Ｆ２を表示する領域に属する各画素８（発光素子９）をそれぞれカウントした時のカウント値である。また、特殊表示ビデオデータＫＤは、図２において、特殊マーク表示Ｆ２を、点灯・点滅表示するための輝度データであって、スピードメータ画面Ｆ１での発光輝度より高い輝度で各赤、緑及び青の各発光素子９（各画素８）を単独で発光させるための輝度データである。そして、データデコーダ２２は、カウンタ２１のカウント値に基づいて、データ演算回路部１７に特殊マーク表示Ｆ２を表示する領域の画素８（有機ＥＬ素子９）のビデオデータＤが入力されると、切替信号Ｋａと特殊ビデオデータＫＤを生成し出力する。
【００８２】
切替信号Ｋａと特殊ビデオデータＫＤは、セレクタ２３に出力される。セレクタ２３は、特殊ビデオデータＫＤと、データクロックDCLCに同期して入力されるビデオデータＤのいずれかを選択して出力する。セレクタ２３は、切替信号Ｋａが出力されていないときには、ビデオデータＤ（輝度データＤａ）をデータ線駆動回路１２に出力し、切替信号Ｋａ
が出力されているときには特殊ビデオデータＫＤをデータ線駆動回路１２に出力する。
【００８３】
次に、表示装置１の作用を、図１３に示すデータ演算回路部１７の作用を示すフローチャートに従って説明する。
データ演算回路部１７は、外部装置ＧＳからのデータクロックDCLCに同期してビデオデータＤを入力して表示装置１の表示エリアＨに図２に示す画面Ｆを表示するための信号処理を開始する（ステップＳ２−１、Ｓ２−２）。
【００８４】
データ演算回路部１７は、データクロックDCLCとともに１画素分のビデオデータＤを取り込むと（ステップＳ２−２でＹＥＳ）、データ演算回路部１７内のカウンタ２１は加算動作する（ステップＳ２−３）。続いて、データデコーダ２２が、カウンタ２１のカウント値Ｔｉが予め設定された設定値に一致するか比較する（ステップＳ２−４）。一致しない場合（ステップＳ２−４でＮＯ）、データデコーダ２２は何れもセレクタ２３に出力しない。従って、セレクタ２３は、データクロックDCLCに同期して入力されたビデオデータＤをそのままデータ線駆動回路１２に出力する（ステップＳ２−５）。
【００８５】
反対に、一致する場合（ステップＳ２−４でＹＥＳ）、データデコーダ２２は、切替信号Ｋａと特殊ビデオデータＫＤをセレクタ２３に出力する（ステップＳ２−６）。そして、セレクタ２３は、切替信号Ｋａに基づいて特殊ビデオデータＫＤをデータ線駆動回路１２に出力する（ステップＳ２−７）。
【００８６】
そして、１つの画素８のビデオデータＤに対する処理が終わると、データ演算回路部１７は、表示オフ（運転キーのオフ）をチェックした後（ステップＳ２−８）、次の１つの画素８のビデオデータＤの取り込み同様な変換を行い、これを繰り返すことにより、表示パネル部２の表示エリアＨに図２に示す画面Ｆを表示する。そして、１フレーム分の画素８のためのビデオデータＤが出力された、次の１フレームのための画像表示のためのフレームクロックFCLCを入力すると、カウンタ２１はリセットされて新たにカウントを開始する（ステップＳ２−９）。
【００８７】
このように、本実施形態においても、外部装置ＧＳから表示エリアＨに図２に示す画面Ｆを表示するためのビデオデータＤが出力されると、表示パネル部２には、スピードメータ画像Ｆ１が通常のホワイトバランス調整輝度で表示されるとともに、特殊マーク表示Ｆ２がホワイトバランス調整輝度に制限されることなく高輝度で表示される。
【００８８】
上記実施形態によれば、以下の作用効果を奏する。
（１）本実施形態によれば、第１実施形態と同様に、カラーフィルタ５を備えた表示装置１において、一つの画面Ｆに、設定したホワイトバランス調整輝度で発光制御（第１輝度表示モード）されたスピードメータ画面Ｆ１と、ホワイトバランス調整輝度に制限されることなく高輝度で発光制御（第２輝度表示モード）される特殊マーク表示Ｆ２とを同時に表示することができる。
（２）本実施形態によれば、高輝度で発光制御（第２輝度表示モード）される特殊マーク表示Ｆ２の輝度及び表示領域（特定の領域）は、表示装置１、即ちデータ演算回路部１７のデータデコーダ２２に予め設定できる。このため、外部装置ＧＳにおいて、ビデオデータＤを第１実施形態のように加工する必要がないので、既存の外部装置ＧＳに容易に組み付けることができる。
【００８９】
尚、この発明は以下のように変更して具体化することもできる。
・上記各実施形態のカラーフィルタ５の第２の色変換層Ｃ２は、発光素子９から発せられた白色の光ＬＷを透過してそのまま透過する無変換層であって、特殊マーク表示Ｆ２は、白色単色で表示されるようにしたが、本発明は、これに限定されるものではない。たと
えば、第２の色変換層Ｃ２は、発光素子９から発せられた白色の光ＬＧを緑色に変換する変換層であってもよい。つまり、この場合、特殊マーク表示Ｆ２は、緑色単色で表示される。
【００９０】
・上記各実施形態では、カラーフィルタ５は、第２の色変換層Ｃ２が左右方向指示表示灯Ｆ2a，Ｆ2b及びシートベルト表示灯Ｆ2cを表示するための画素８に対向した位置にのみ配置されたカラーフィルタであった。これを、表示エリアＨの中央に相対向する位置に第１の色変換層Ｃ１を、また、第１の色変換層Ｃ１の周囲に第２の色変換層Ｃ２を備えたものであってもよい。
【００９１】
・上記第１実施形態では、輝度データＤａに輝度モードデータＤｂを付加したが、これを、輝度モードデータＤｂを輝度データＤａとそれぞれ同期して入力するようにしてもよい。
【００９２】
・上記各実施形態では、ＥＥＰＲＯＭ１５、パネル制御回路１６、データ演算回路１７及び基準電圧生成回路１８は、それぞれが独立した電子回路であるが、ＥＥＰＲＯＭ１５、パネル制御回路１６、データ演算回路１７及び基準電圧生成回路１８が一つの集積回路で構成されたものであってもよい。
【００９３】
・上記第２実施形態では、判定手段、輝度データ生成手段及び輝度データ選択手段は、データ演算回路１７内に設けられた１つのデータデコーダ２２であったが、これを、判定手段、輝度データ生成手段及び輝度データ選択手段がそれぞれ異なった電子回路によって構成されていてもよい。
・上記第１実施形態では、輝度モードデータＤｂのビット値が「０，１」、「１，０」、「１，１」である場合、その輝度モードデータＤｂに付加された輝度データＤａの各ビットデータをそれぞれシフトさせる。そして、通常の発光輝度に比べて２倍、３倍または４倍高い輝度で発光させるための変換ビデオデータRVD，GVD，BVDに変換し、データ線駆動
回路１２に出力するようにした。
【００９４】
これを、輝度モードデータＤｂの各ビット値に応じて、各画素８の最大発光輝度よりも高い輝度で発光させるための３種類の変換ビデオデータRVD，GVD，BVDを予め記憶してお
く。そして、輝度モードデータＤｂのビット値が「０，１」、「１，０」、「１，１」である場合、図１４に示すように、その輝度モードデータＤｂのビット値に応じて、その予め記憶された変換ビデオデータRVD，GVD，BVDをデータ線駆動回路１２に出力するように
してもよい。このとき、たとえば、予め設定された変換ビデオデータGVDとして、「１，
０，０，１，１，１，１，１，１」、「１，０，１，１，１，１，１，１，１」、「１，１，１，１，１，１，１，１，１」を用意しておく。そして、図１１に示すように、輝度モードデータＤｂのビット値が「０，１」である場合、変換ビデオデータGVDとして、「
１，０，０，１，１，１，１，１，１」をデータ線駆動回路１２に出力するようにする。また、輝度モードデータＤｂのビット値が「１，０」である場合、変換ビデオデータGVD
として、「１，０，１，１，１，１，１，１，１」をデータ線駆動回路１２に出力するようにする。さらに、輝度モードデータＤｂのビット値が「１，１」である場合、変換ビデオデータGVDとして、「１，１，１，１，１，１，１，１，１」をデータ線駆動回路１２
に出力するようにする。
【００９５】
このようにすることで、ホワイトバランス調整輝度に対して等倍（０倍）、１．２５倍、１．５倍または２倍の発光輝度で各画素８を発光させることができる。この結果、第１実施形態の表示装置１に比べて、左右方向指示表示灯Ｆ2 a，Ｆ2b及びシートベルト表示
灯Ｆ2cをホワイトバランス調整輝度より大きい発光輝度で発光させる際、その輝度制御を細かく行うことができる。
【００９６】
・上記第１実施形態では、輝度モードデータＤｂのビット値「Ｂ１，Ｂ２」が「０，１」のとき、輝度データＤａを１ビットだけ高ビット側にシフトさせることで白バランス調整時の２倍の発光輝度で発光させるための変換ビデオデータＲＶＤ，ＧＶＤ，ＢＶＤに変換するようにした。また、「１，０」のとき、輝度データＤａを２ビットだけ高ビット側にシフトさせることでホワイトバランス調整輝度の３倍の発光輝度で発光させるための変換ビデオデータＲＶＤ，ＧＶＤ，ＢＶＤに変換するようにした。さらに、「１，１」のとき、輝度データＤａを３ビットだけ高ビット側にシフトさせることでホワイトバランス調整輝度の４倍の発光輝度で発光させるための変換ビデオデータＲＶＤ，ＧＶＤ，ＢＶＤに変換するようにした。
【００９７】
本発明は、これに限定されるものではない。たとえば、輝度モードデータＤｂのビット値「Ｂ１，Ｂ２」が「０，１」のとき、輝度データＤａを１ビットだけ高ビット側にシフトさせることでホワイトバランス調整輝度の２倍の発光輝度で発光させるための変換ビデオデータＲＶＤ，ＧＶＤ，ＢＶＤに変換する。また、「１，０」のとき、輝度データＤａを３ビットだけ高ビット側にシフトさせることでホワイトバランス調整輝度の４倍の発光輝度で発光させるための変換ビデオデータＲＶＤ，ＧＶＤ，ＢＶＤに変換する。さらに、「１，１」のとき、輝度データＤａを７ビットだけ高ビット側にシフトさせることでホワイトバランス調整輝度の８倍の発光輝度で発光させるための変換ビデオデータＲＶＤ，ＧＶＤ，ＢＶＤに変換するようにしてもよい。このようにすることで、輝度モードデータＤｂのビット値「Ｂ１，Ｂ２」に応じて２次関数的に左右方向指示表示灯Ｆ2a，Ｆ2b及びシートベルト表示灯Ｆ2cの発光輝度を制御することができる。
【００９８】
・上記各実施形態では、輝度モードデータＤｂは、輝度データＤａの最上位ビット（第８ビット；「Ａ８」）よりさらに上位ビットに設けられているが、これに限定されるものではなく、例えば、輝度データＤａの最下位ビット（第１ビット；「Ａ１」）よりさらに下位位ビットに設けられていてもよい。
【００９９】
・上記各実施形態では、表示エリアＨ上に表示される画面Ｆは、スピードメータ画像Ｆ１及び各種特殊マーク表示Ｆ２を備えた表示形態を一例として説明した。これを、スピードメータ画像Ｆ１及び各種特殊マーク表示Ｆ２以外の車両Ｃのエンジン回転数を表わすタコメータや、計器類（インジケータやワーニング）等を合わせて表示する表示装置に具体化してもよい。
【０１００】
・上記各実施形態では、特殊マーク表示Ｆ２として、左右方向指示表示灯Ｆ2a，Ｆ2bやシートベルト表示灯Ｆ2cであったが、これに限定されるものではなく、他のマーク表示であってもよい。例えば、ブレーキ灯であってもよい。
【０１０１】
・上記各実施形態では、発光素子９はＥＬ素子である表示装置１を用いているが、これをＥＬ素子以外の発光素子９（例えば、発光ダイオード（ＬＥＤ）素子）を用いたものであっても本発明は適用可能である。
【０１０２】
・上記実施形態では、電子機器として車両ＣのインストルメントパネルＷについて説明したが、これに限定されるものではなく、計器用表示装置に広く適用可能である。
【図面の簡単な説明】
【０１０３】
【図１】表示装置が搭載された車両のインストルメントパネルの斜視図。
【図２】表示装置の表示エリア上に表示される画面の表示形態を示す模式図。
【図３】表示装置の表示パネル部の構造を説明するための図。
【図４】第１実施形態に係る表示装置の電気的構成図。
【図５】画素の電気的構成を説明するための図。
【図６】カラーフィルタの構成を説明するための図。
【図７】第１実施形態に係る表示装置の電気的構成図。
【図８】データ線駆動回路の構成を説明するための図。
【図９】ビデオデータの構造を説明するための図。
【図１０】第１実施形態に係る変換ビデオデータの作成方法を説明するための図。
【図１１】第１実施形態に係るデータ変換回路の動作を説明するためのフローチャート。
【図１２】第２実施形態に係る表示装置の電気的構成図。
【図１３】第２実施形態に係るデータ変換回路の動作を説明するためのフローチャート。
【図１４】別例を説明するための図。
【符号の説明】
【０１０４】
Ｃ…車両、Ｄａ…輝度データ、Ｄｂ…輝度変換データとしての輝度モードデータ、ＤＸ1〜ＤＸm…データ信号、ＥＲ，ＥＧ，ＥＢ…電源電圧、Ｆ…車両情報画像、ＧＳ…外部装置、Ｈ…表示エリア、ＬＸ1〜ＬＸm…データ線、ＬＹ1〜ＬＹn…走査線、Ｗ…電子機器としてのインストルメントパネル、１…表示装置、２…表示パネル部、５…カラーフィルタ、６Ｂ…青用色変換層としての青用透明着色層、６Ｇ…緑用色変換層としての緑用透明着色層、６Ｒ…赤用色変換層としての赤用透明着色層、８…画素、９…発光素子及びエレクトロルミネッセンス素子としての有機エレクトロルミネッセンス素子、１２…データ信号生成手段としてのデータ線駆動回路、１７…制御回路、データ変換手段及び抽出手段としてのデータ変換回路、１９…輝度比設定手段としての電源回路、２１…計数手段としてのカウンタ、２２…判定手段、輝度データ生成手段及び輝度データ選択手段としてのデータデコーダ。
【図１】
2007094330.tif 000003
【図２】
2007094330.tif 000004
【図３】
2007094330.tif 000005
【図４】
2007094330.tif 000006
【図５】
2007094330.tif 000007
【図６】
2007094330.tif 000008
【図７】
2007094330.tif 000009
【図８】
2007094330.tif 000010
【図９】
2007094330.tif 000011
【図１０】
2007094330.tif 000012
【図１１】
2007094330.tif 000013
【図１２】
2007094330.tif 000014
【図１３】
2007094330.tif 000015
【図１４】
2007094330.tif 000016